(57)【要約】【課題】  キャビネットの正面、側面のいずれから見ても体裁をよくするとともに、キャビネット内部が外部から見えたり、内部の光が外部に漏れないようにする。【解決手段】  キャビネット１の筐体２における前面開口部３を形成する枠材４の前面内側角部を落として、内向傾斜面９を形成するとともに、前記前面開口部３を開閉自在に閉塞する閉塞手段５を設け、この閉塞手段５の前記枠材４に隣接する縁端部６に、前記内向傾斜面９と対面する対面傾斜面１２を形成し、かつこの対面傾斜面１２に連設して、前記筐体２内において後方に向かう後向片１３、または前記筐体２外において上下左右向きの外側に向かう外向片１４を備える閉塞手段を設ける。【選択図】        図３
2005143562.tif 000002
【特許請求の範囲】
【請求項１】
キャビネットの筐体における前面開口部を形成する枠材の前面内側角部を落として、内向傾斜面を形成するとともに、前記前面開口部を開閉自在に閉塞する閉塞手段を設け、この閉塞手段の前記枠材に隣接する縁端部に、前記内向傾斜面と対面する対面傾斜面を形成し、かつこの対面傾斜面に連設して、前記筐体内において後方に向かう後向片、または前記筐体外において上下左右向きの外側に向かう外向片を備える閉塞手段を設けたことを特徴とするキャビネット。
【請求項２】
前記閉塞手段が、筐体の前面開口部に配設した開き扉であることを特徴とする請求項１記載のキャビネット。
【請求項３】
前記開き扉の少なくとも左右縁端部において、前記対面傾斜面に連設して、前記後向片または外向片を備えるようにしたことを特徴とする請求項２記載のキャビネット。
【請求項４】
前記閉塞手段が、筐体内に収納される引出しの前面板であることを特徴とする請求項１記載のキャビネット。
【請求項５】
前記前面板の少なくとも上縁端部において、前記対面傾斜面に連設して、前記後向片または外向片を備えるようにしたことを特徴とする請求項４記載のキャビネット。
【請求項６】
前記筐体を、前後に開口部を有する枠体によって構成し、後面開口部を、前記閉塞手段によって閉塞したことを特徴とする請求項１〜５のいずれかに記載のキャビネット。
【請求項７】
前記前面開口部または後面開口部における閉塞手段の少なくとも一方を、透光性材料で形成したことを特徴とする請求項１〜６のいずれかに記載のキャビネット。
【発明の詳細な説明】
【技術分野】
【０００１】
本発明は、キャビネットの構造に関し、詳しくはキャビネットの筐体における開口部を開閉自在に閉塞する閉塞手段の縁端部における構造に関する。
【背景技術】
【０００２】
オフィス等の執務空間において使用されるキャビネットは、物品収納時における体裁をよくするとともに、地震等の際の収納物の落下や、収納物の盗難等を防止するため、キャビネットの前面開口部を開き扉等で閉塞する場合が多い。これに関し、開き扉等の閉塞手段を、キャビネットの筐体内に配設するインセット構造（たとえば、特許文献１）と、閉塞手段を、キャビネットの筐体前面に配設するアウトセット構造（たとえば、特許文献２，３）とが公知である。
【０００３】
前者は、キャビネットを側面から見た場合、閉塞手段の縁端部が外部に露出せず体裁がよいが、正面から見た場合は、筐体の前端周縁が、閉塞手段の外側に枠状に見えるという問題がある。
一方、後者は、正面から見た場合は、筐体の前端周縁が、外部に露出せず体裁がよいが、側面から見た場合は、閉塞手段の縁端部が外部に露出するという問題がある。
このように、両者いずれも一長一短がある。
【０００４】
これに対し、近年、閉塞手段と筐体の隣接する両縁端部を４５度に切削して、正面および側面のいずれから見た場合においても、閉塞手段あるいは筐体の一方のみが見え、他方の縁端部が見えないようにして、体裁を向上させたものが提案されている。
【０００５】
しかし、この形態のものは、閉塞手段と筐体の隣接する縁端部間に、４５度方向の間隙が存在するため、外部からキャビネット内部が見えたり、前記内部の光が外部に漏れるという問題があった。
【０００６】
【特許文献１】実公平７−０００６０５号公報
【特許文献２】特開平８−２６６３４９号公報
【特許文献３】特開平７−３１３２６７号公報
【発明の開示】
【発明が解決しようとする課題】
【０００７】
本発明は、前記の現状に鑑み、正面および側面のいずれの方向から見ても体裁を良くするとともに、キャビネット内部が外部から見えることを防止し、かつ内部の光が外部に漏れることのないキャビネットを提供することを目的とする。
【課題を解決するための手段】
【０００８】
本発明によると、上記課題は次のようにして解決される。
(１)  キャビネットの筐体における前面開口部を形成する枠材の前面内側角部を落として、内向傾斜面を形成するとともに、前記前面開口部を開閉自在に閉塞する閉塞手段を設け、この閉塞手段の前記枠材に隣接する縁端部に、前記内向傾斜面と対面する対面傾斜面を形成し、かつこの対面傾斜面に連設して、前記筐体内において後方に向かう後向片、または前記筐体外において上下左右向きの外側に向かう外向片を備える閉塞手段を設けたキャビネットとする。
なお、ここで上下左右向きの外側とは、上下左右向きの少なくともいずれかの外側を意味する。
【０００９】
(２)  上記(１)項において、前記閉塞手段が、筐体の前面開口部に配設した開き扉であるキャビネットとする。
【００１０】
(３)  上記(２)項において、前記開き扉の少なくとも左右縁端部において、前記対面傾斜面に連設して、前記後向片または外向片を備えるようにする。
【００１１】
(４)  上記(１)項において、前記閉塞手段が、筐体内に収納される引出しの前面板であるキャビネットとする。
【００１２】
(５)  上記(４)項において、前記前面板の少なくとも上縁端部において、前記対面傾斜面に連設して、前記後向片または外向片を備えるようにする。
【００１３】
(６)  上記(１)項〜(５)項のいずれかにおいて、前記筐体を、前後に開口部を有する枠体によって構成し、後面開口部を、前記閉塞手段によって閉塞する。
【００１４】
(７)  上記(１)項〜(６)項のいずれかにおいて、前記前面開口部または後面開口部における閉塞手段の少なくとも一方を、透光性材料で形成する。
【発明の効果】
【００１５】
本発明によると、次のような効果が奏せられる。
ａ)  前記(１)項記載の発明によると、閉塞手段における枠材の縁端部において、対面傾斜面に連設して後向片だけを備え、外向片を備えない場合は、キャビネットを正面および側面のいずれから見た場合においても、閉塞手段あるいは筐体の一方のみが見え、他方の縁端部が見えないため体裁がよい。また、前記対面傾斜面に連設して外向片を備える場合は、キャビネットを正面から見た場合は、閉塞手段のみが見え、筐体の縁端部が見えず、体裁がよいとともに、側面から見た場合には、筐体の前方に、閉塞手段における外向片の縁端部が見えるが、外向片の厚みは、閉塞手段の厚みよりも、相当に薄く形成されているため、薄くシャープな印象を与え、体裁がよい。
また、筐体の枠材と、これに隣接する、閉塞手段の縁端部との間隙は、閉塞手段の縁端部における対面傾斜面と、これに連設されている後向片または外向片によって、屈折されているため、キャビネット内部が外部から見えることがなく、かつキャビネット内部の光が外部に漏れることもない。そのため、キャビネットの多様なレイアウトパターンに対応することができ、オフィスにおけるキャビネットレイアウトの意匠性を向上させることができる。
【００１６】
ｂ）  前記(２)項記載の発明によると、本発明を開き扉に適用した場合に、前項に記載した効果が、最も有効に奏せられる。
【００１７】
ｃ）  前記(３)項記載の発明によると、従来の開き扉のキャビネットにおいて、最も問題であった開き扉の左右縁端部において、前記ａ）項において記載した効果が奏せられる。
【００１８】
ｄ）  前記(４)項記載の発明によると、オフィス等の執務空間において多用されている引出しについて、前記ａ）項において記載した効果が奏せられる。
【００１９】
ｅ）  前記(５)項記載の発明によると、従来の引出し付キャビネットにおいて、最も問題であった引出しの上縁端部において、前記ａ）項において記載した効果が奏せられる。
【００２０】
ｆ）  前記(６)項記載の発明によると、キャビネットの前後の開口部において、前記ａ）項において記載した効果が奏せられるため、キャビネットの意匠性の向上とともに、そのレイアウトの自由度が高まる。
【００２１】
ｇ）  前記(７)項記載の発明によると、前面開口部または後面開口部における閉塞手段の少なくとも一方を、透光性材料で形成することによって、前記ａ）項に記載した効果と相俟って、一層、明るくソフトな印象を与えるオフィス空間を形成することができる。
【発明を実施するための最良の形態】
【００２２】
以下、本発明の一実施の形態を、図面に基づいて説明する。
【実施例１】
【００２３】
図１は、本発明の一実施形態のキャビネットの斜視図、図２は、図１に示すキャビネットの開き扉を開いた状態を示す斜視図、図３は、図１におけるIII〜III線要部横断面図である。
【００２４】
本発明のキャビネット(１)は、キャビネット(１)における筐体(２)の前面開口部(３)を形成する枠材(４)と、前記前面開口部(３)を開閉自在に閉塞する閉塞手段としての開き扉(５)の縁端部(６)との両者が、相互に対向する部分の構造に特徴がある。
【００２５】
図３に示すように、本発明のキャビネット(１)は、その筐体(２)の前面開口部(３)を形成する枠材(４)としての右枠材(７)の前端部(８)が、その前面内側角部を落として内向傾斜面(９)が形成され、残存する外側前面(10)との両者によって、平面視において、外向きに広がる曲折された形状となっている。
【００２６】
前記右枠材(７)の前端部(８)の形状は、その前端部(８)を構成する金属板を適宜折曲げたものを、図示するように組合わせることにより容易に得られる。
【００２７】
一方、開き扉(５)の前記右枠材(７)に隣接する右縁端部(11)には、前記内向傾斜面(９)と対面する対面傾斜面(12)が形成されるとともに、この対面傾斜面(12)に連設して、キャビネット(１)における筐体(２)の内部において後方に向かう後向片(13)、および筐体(２)の外部において右向きの外側に向かう外向片(14)が設けられている。
【００２８】
開き扉(５)の前記対面傾斜面(12)、後向片(13)、外向片(14)は、それぞれ右枠材(７)の内向傾斜面(９)、右枠材内面(15)、外側前面(10)に近接しうるようになっている。
【００２９】
開き扉(５)の右縁端部(11)において、前記対面傾斜面(12)、後向片(13)、外向片(14)を形成するために、次のような縁枠材(16)が用いられている。開き扉(５)は、表面材(17)と、この表面材(17)の四方の周縁に嵌着される縁枠材(16)とから構成されている。前記縁枠材(16)は、縁枠材本体(18)と、カバー材(19)とより構成されている。
【００３０】
縁枠材本体(18)は、前記表面材(17)の周縁を前後から挾持する平面視コ字状の挾持部(20)と、この挾持部(20)の後片(21)上に後方に向けて長手方向に延設される左右１対の側片(22)(23)とから形成されている。
【００３１】
前記１対の側片(22)(23)のうち、外側側片(23)における中間部と、後片(21)における外側端近傍間には、斜板(24)が配設され、この斜板(24)によって、前記対面傾斜面(12)が形成され、外側側片(23)の後端部によって、前記後向片(13)が形成され、後片(21)の外側端部によって前記外向片(14)が形成されている。
【００３２】
左右１対の側片(22)(23)間の開口部は、長手方向に対する垂直断面がほぼ外向コ字状のカバー材(19)によって閉塞されている。
【００３３】
縁枠材(16)における後片(21)は、前後方向に２重壁構造となっており、後壁片(25)には、ねじ孔(26)が穿設されている。
【００３４】
止めねじ(27)を、カバー材(19)の通孔(28)に挿通させた後に、前記ねじ孔(26)に螺合させることによって、カバー材(19)が縁枠材本体(18)に取付けられている。
【００３５】
挾持部(20)を形成する前片(29)と後片(21)は、前片(29)が後片(21)よりも左右方向の幅が可成り小さく形成されており、キャビネット(１)を前面から見た場合に、開き扉(５)の周縁に配設される前記前片(29)を余り目立たないものにしている。
【００３６】
図３においては、筐体(２)の右枠材(７)と、開き扉(５)の右縁端部(11)との関係を示したが、筐体(２)の四方を形成するその他の枠材(４)と、開き扉(５)のその他の縁端部(６)との関係も全く同様に構成されている。
【００３７】
左右および上下に対称をなす縁枠材(16)(16)は、その両端が内向き４５度に切断されており、隣接する縁枠材同士の端部を当接し、正面視Ｌ字状の連結材(30)を用いて連結されている（図２参照）。連結材(30)の両端部は、図３に示す縁枠材(16)における後片(21)の２重壁構造内の空間(31)内に嵌挿してねじ止めされる。
【００３８】
図４は、図１におけるIV〜IV線横断面図（但し、一部省略）である。開き扉(５)には、把手(32)が取付けられている。前記把手(32)は、その基部(33)に、後向部(34)、対面傾斜部(35)、外向部(36)が設けられており、これらが、それぞれ縁枠材(16)における後向片(13)、対面傾斜面(12)、外向片(14)に添接する形態で開き扉(５)の戸先に取付けられている。
【００３９】
把手(32)と表面材(17)との間には、開き扉(５)のロックを解除するためのラッチ手掛部(37)が設けられている。ラッチ手掛部(37)によって作動するラッチ機構（図示省略）は、縁枠材(16)における縁枠材本体(18)とカバー材(19)間の空間(38)内に内蔵されている。
【００４０】
把手(32)等が取付けられた開き扉(５)は、蝶番(39)をもって、開閉自在に筐体(２)に取付けられている（図２参照）。
【００４１】
以上、筐体(２)の前面開口部(３)を形成する枠材(４)と、前記前面開口部(３)に取付けられる開き扉(５)の縁端部(６)とが、相互に対向する部分の構造について説明したが、かかる構造は、たとえば、筐体を、前後に開口部を有する枠体によって構成し、後面開口部における枠体と、その後面開口部を閉塞する閉塞手段の縁端部とが相互に対向する部分の構造についても適用できる。
【００４２】
また、前面開口部または後面開口部における閉塞手段の表面材の両者または一方を、透光性材料で形成することは好ましい実施形態の一つである。
【実施例２】
【００４３】
図５は、本発明の第２実施形態の引出し付キャビネットの正面図である。図６は、図５におけるVI〜VI線要部縦断面図である。
【００４４】
図６に示すように、キャビネット(40)の筐体(41)内に収納された引出し(42)における前面化粧板(43)の後面の上下縁端部に、図３における縁枠材(16)と同形状の縁枠材(44)(45)が取付けられている。
【００４５】
前記上下部縁枠材(44)(45)間には、カバー材(46)が取付けられて、引出し(42)の前面板(47)が形成されている。前面板(47)の上縁端部には、図４において示した把手(32)およびラッチ手掛部(37)と同一形状の把手(48)およびラッチ手掛部(49)が、取付けられている。なお、上部縁枠材(44)内に内蔵されているラッチ機構は、図示を省略してある。
【００４６】
同じく、筐体(41)における枠材(50)および仕切材(51)は、図３において示した枠材(４)と同様にして形成されている。
【００４７】
このようにして、筐体(41)における枠材(50)または仕切板(51)と、引出し(42)の前面板(47)の上下縁端部とが、相互に対向する部分の構造は、実施例１における筐体(２)の前面開口部(３)を形成する枠材(４)と、前記前面開口部(３)に取付けられる開き扉(５)の縁端部(６)とが、相互に対向する部分の構造と同様な形態に構成されている。
【図面の簡単な説明】
【００４８】
【図１】本発明の第１実施形態の開き扉付キャビネットの斜視図である（実施例１）。
【図２】図１におけるキャビネットの開き扉を開いた状態を示す斜視図である。
【図３】図１におけるIII〜III線要部横断面図である。
【図４】図１におけるIV〜IV線横断面図（但し、一部省略）である。
【図５】本発明の第２実施形態の引出し付キャビネットの正面図である（実施例２）。
【図６】図５におけるVI〜VI線要部縦断面図である。
【符号の説明】
【００４９】
(１)キャビネット
(２)筐体
(３)前面開口部
(４)枠材
(５)開き扉（閉塞手段）
(６)縁端部
(７)右枠材
(８)前端部
(９)内向傾斜面
(10)外側前面
(11)右縁端部
(12)対面傾斜面
(13)後向片
(14)外向片
(15)右枠材内面
(16)縁枠材
(17)表面材
(18)縁枠材本体
(19)カバー材
(20)挾持部
(21)後片
(22)内側側片
(23)外側側片
(24)斜板
(25)外壁片
(26)ねじ孔
(27)止めねじ
(28)通孔
(29)前片
(30)連結材
(31)空間
(32)把手
(33)基部
(34)後向部
(35)対面傾斜部
(36)外向部
(37)ラッチ手掛部
(38)空間
(39)蝶番
(40)キャビネット
(41)筐体
(42)引出し
(43)前面化粧板
(44)上部縁枠材
(45)下部縁枠材
(46)カバー材
(47)前面板
(48)把手
(49)ラッチ手掛部
(50)枠材
(51)仕切板
【図１】
2005143562.tif 000003
【図２】
2005143562.tif 000004
【図３】
2005143562.tif 000005
【図４】
2005143562.tif 000006
【図５】
2005143562.tif 000007
【図６】
2005143562.tif 000008